(57)【特許請求の範囲】
【請求項１】
顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による入金処理を併用するとき、前記窓口端末が、取引選択メニュー画面から入金取引が選択されると入金取引画面を表示すると共に、前記窓口用入出金機に対し入金操作可指示を出力して窓口用入出金機を入金操作可能な状態に設定する第１機能と、前記入金取引画面に前記元帳データベースの更新に必要な情報を入力する第２機能と、窓口端末が出納機と連携するための出納機キーが押下されたことを検出したとき、出納機通番入力画面を表示し、前記出納機の入金処理で認証伝票に印字される出納記録を基に出納機通番入力画面の通番入力領域に取引通番号を入力させ実行キーを押下させる第３機能と、前記第３機能により前記出納機通番入力画面に入力された取引通番号に対応する前記管理データベース内の出納機明細データの取得を前記管理サーバに要求する第４機能と、要求を受けた管理サーバが管理データベース内の該当の出納機明細データを検索して返信し、これを受けた窓口端末が出納機取引金額を前記金種画面の出納機現金預り額入力領域に展開して出納機連携モードを設定後、当該出納機明細データの更新を管理サーバに要求し、これを受けた管理サーバが当該出納機明細データの処理フラグを処理中に更新する第５機能と、操作者が前記窓口用入出金機を用いて現金を入金したとき、窓口端末が窓口用入出金機からの計数報告を受け付け、窓口用入出金機に入金された現金の金種別金額を金種画面の機預り金種別金額入力領域に展開する第６機能と、入力操作が全て終了したことを示す完了キーが押下されると、金種画面の入力内容により出納機からの入金額と窓口用入出金機からの入金額の合計額が指定金額と一致することを確認し、前記窓口用入出金機からの入金操作を禁止する指示を窓口用入出金機に出力後、前記管理サーバ経由で前記勘定系ホストコンピュータと通信して当該入金取引の実行を要求する第７機能と、この要求を受けた勘定系ホストコンピュータが前記元帳データベースの該当する口座データを更新し、勘定系ホストコンピュータからの回答を受けた前記管理サーバが前記管理データベース内の当該出納機明細データの処理フラグを処理済に更新する第８機能と、前記管理サーバ経由前記勘定系ホストコンピュータからの回答を受けた窓口端末が金種画面の入力内容に従って窓口用入出金機に対し収納指示出力と当該取引で取り扱った現金の金種別集計更新と入金伝票に認証印字する第９機能とを備える出納機と入出金機との連携システム。
【請求項２】
前記出納機と入出金機の連携システムの入金処理において、金種キー押下により金種画面を呼び出し、係員の手許に入金する金額を手預り金種別金額入力領域及び前記窓口用入出金機から出金する釣銭を機払い金種別金額入力領域及び係員の手許より出金する釣銭を手払い金種別金額入力領域に入力する第１０機能と、前記第１０機能により係員の手許に入金する金額や釣銭が入力されるため、第７機能の指定金額との一致確認を出納機からの入金額と窓口用入出金機からの入金額と係員の手許からの入金額の合計額から窓口用入出金機からの釣銭出金額及び係員の手許からの釣銭出金額を差引いた金額で行う第１１機能と、前記第９機能において前記第１０機能により機払い金種別金額入力領域に釣銭が入力されると窓口用入出金機に対して釣銭の出金指示出力も行う第１２機能と、前記第９機能において前記第１０機能により手払い金種別金額入力領域に釣銭が入力されると手許から釣銭の出金を促す手払い確認画面の表示も行う第１２機能を含む請求項１記載の出納機と入出金機との連携システム。
【請求項３】
顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による出金処理を併用するとき、前記窓口端末が、取引選択メニュー画面から出金取引が選択されると出金取引画面を表示する第１機能と、前記出金取引画面に前記元帳データベースの更新に必要な情報を入力する第２機能と、窓口端末が出納機と連携するための出納機キーが押下されたことを検出すると出納機連携モードを設定する第３機能と、出金方法を指定するために金種画面キー押下により金種画面を呼び出し、前記出納機から出金する金額を出納機現金払い額入力領域及び前記窓口用入出金機から出金する金額を機払い金種別金額入力領域及び係員の手許から出金する金額を手払い金種別金額入力領域に入力する第４機能と、入力操作が全て終了したことを示す完了キーが押下されると、金種画面の入力内容により出納機からの出金額と窓口用入出金機からの出金額と係員の手許からの出金額の合計額が指定金額であることを確認し、前記管理サーバ経由で前記勘定系ホストコンピュータと通信して当該出金取引の実行を要求する第５機能と、この要求を受けた勘定系ホストコンピュータが前記元帳データベースの該当する口座データを更新し、勘定系ホストコンピュータからの回答を受けた前記管理サーバが前記管理データベースに当該出金取引の出納機明細データを登録する第６機能と、前記管理サーバ経由前記勘定系ホストコンピュータからの回答を受けた窓口端末が金種画面の入力内容に従って窓口用入出金機に対し出金指示出力と当該取引で取り扱った現金の金種別集計更新と手許からの出金を促す手払い確認画面の表示と出金伝票に認証印字する第７機能とを備える出納機と入出金機との連携システム。
【請求項４】
顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による入金処理を併用するとき、前記窓口端末が、取引選択メニュー画面から入金取引が選択されると入金取引画面を表示すると共に、前記窓口用入出金機に対し入金操作可指示を出力して窓口用入出金機を入金操作可能な状態に設定する第１工程と、前記入金取引画面に前記元帳データベースの更新に必要な情報を入力する第２工程と、窓口端末が出納機と連携するための出納機キーが押下されたことを検出したとき、出納機通番入力画面を表示し、前記出納機の入金処理で認証伝票に印字される出納記録を基に出納機通番入力画面の通番入力領域に取引通番号を入力させ実行キーを押下させる第３工程と、前記第３工程により前記出納機通番入力画面に入力された取引通番号に対応する前記管理データベース内の出納機明細データの取得を前記管理サーバに要求する第４工程と、要求を受けた管理サーバが管理データベース内の該当の出納機明細データを検索して返信し、これを受けた窓口端末が出納機取引金額を前記金種画面の出納機現金預り額入力領域に展開して出納機連携モードを設定後、当該出納機明細データの更新を管理サーバに要求し、これを受けた管理サーバが当該出納機明細データの処理フラグを処理中に更新する第５工程と、操作者が前記窓口用入出金機を用いて現金を入金したとき、窓口端末が窓口用入出金機からの計数報告を受け付け、窓口用入出金機に入金された現金の金種別金額を金種画面の機預り金種別金額入力領域に展開する第６工程と、入力操作が全て終了したことを示す完了キーが押下されると、金種画面の入力内容により出納機からの入金額と窓口用入出金機からの入金額の合計額が指定金額と一致することを確認し、前記窓口用入出金機からの入金操作を禁止する指示を窓口用入出金機に出力後、前記管理サーバ経由で前記勘定系ホストコンピュータと通信して当該入金取引の実行を要求する第７工程と、この要求を受けた勘定系ホストコンピュータが前記元帳データベースの該当する口座データを更新し、勘定系ホストコンピュータからの回答を受けた前記管理サーバが前記管理データベース内の当該出納機明細データの処理フラグを処理済に更新する第８工程と、前記管理サーバ経由前記勘定系ホストコンピュータからの回答を受けた窓口端末が金種画面の入力内容に従って窓口用入出金機に対し収納指示出力と当該取引で取り扱った現金の金種別集計更新と入金伝票に認証印字する第９工程とを備える出納機と入出金機との連携方法。
【請求項５】
前記出納機と入出金機の連携システムの入金処理において、金種キー押下により金種画面を呼び出し、係員の手許に入金する金額を手預り金種別金額入力領域及び前記窓口用入出金機から出金する釣銭を機払い金種別金額入力領域及び係員の手許より出金する釣銭を手払い金種別金額入力領域に入力する第１０工程と、前記第１０工程により係員の手許に入金する金額や釣銭が入力されるため、第７工程の指定金額との一致確認を出納機からの入金額と窓口用入出金機からの入金額と係員の手許からの入金額の合計額から窓口用入出金機からの釣銭出金額及び係員の手許からの釣銭出金額を差引いた金額で行う第１１工程と、前記第９工程において前記第１０工程により機払い金種別金額入力領域に釣銭が入力されると窓口用入出金機に対して釣銭の出金指示出力も行う第１２工程と、前記第９工程において前記第１０工程により手払い金種別金額入力領域に釣銭が入力されると手許から釣銭の出金を促す手払い確認画面の表示も行う第１２工程を含む請求項４記載の出納機と入出金機との連携方法。
【請求項６】
顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による出金処理を併用するとき、前記窓口端末が、取引選択メニュー画面から出金取引が選択されると出金取引画面を表示する第１工程と、前記出金取引画面に前記元帳データベースの更新に必要な情報を入力する第２工程と、窓口端末が出納機と連携するための出納機キーが押下されたことを検出すると出納機連携モードを設定する第３工程と、出金方法を指定するために金種画面キー押下により金種画面を呼び出し、前記出納機から出金する金額を出納機現金払い額入力領域及び前記窓口用入出金機から出金する金額を機払い金種別金額入力領域及び係員の手許から出金する金額を手払い金種別金額入力領域に入力する第４工程と、入力操作が全て終了したことを示す完了キーが押下されると、金種画面の入力内容により出納機からの出金額と窓口用入出金機からの出金額と係員の手許からの出金額の合計額が指定金額であることを確認し、前記管理サーバ経由で前記勘定系ホストコンピュータと通信して当該出金取引の実行を要求する第５工程と、この要求を受けた勘定系ホストコンピュータが前記元帳データベースの該当する口座データを更新し、勘定系ホストコンピュータからの回答を受けた前記管理サーバが前記管理データベースに当該出金取引の出納機明細データを登録する第６工程と、前記管理サーバ経由前記勘定系ホストコンピュータからの回答を受けた窓口端末が金種画面の入力内容に従って窓口用入出金機に対し出金指示出力と当該取引で取り扱った現金の金種別集計更新と手許からの出金を促す手払い確認画面の表示と出金伝票に認証印字する第７工程とを備える出納機と入出金機との連携方法。
【発明の詳細な説明】
【技術分野】
【０００１】
本発明は、金融機関における現金の入出金に出納機及び窓口用入出金機を併用することができる出納機と入出金機の連携システム及び連携方法に関する。
【背景技術】
【０００２】
一般に金融機関における現金の入出金処理を係員が行う現金処理システムは、複数の顧客の口座データを格納する元帳データベースと、この元帳データベースに接続された勘定系ホストコンピュータと、大口現金の出納及び出納記録を認証伝票に印字する出納機と、この出納機による入出金管理を行うための複数のキューを格納する管理データベースと、この管理データベースに接続される管理サーバと、この管理サーバと接続され、前記認証伝票に印字された出納記録及び顧客が記載した入出金伝票を基に元帳データベースにおける顧客口座を特定し、入出金処理を確定させる窓口端末と、この窓口端末に隣接して設置され、窓口の担当者が比較的少額の現金の入出金を行うための窓口用入出金機と、これらコンピュータ機器を接続する通信網とを備える。前記出納機は、例えば、渉外担当者が渉外先へ持ち出す出金処理や渉外先から持ち帰った現金の入金処理を行うものであり、窓口用入出金機は、キャッシャと呼ばれ、金融機関の窓口において窓口担当者が窓口顧客に対する現金の入出金を行うために窓口端末に隣接して配置され、比較的少額の入出金を行うためのものである。
【０００３】
前記管理データベースに格納する複数のキューは、口座データベースへの入出金処理を行う際に一時的に使用されるデータ構造であって、入金時に使用される入金キューと、出金時に使用される出金キューと、他金融機関又は同一金融機関の他支店との入出金時などに使用される回金キューとから構成される。なお、一般にキュー（ｑｕｅｕｅ）とは、コンピュータ技術における先に入力したデータを先に出力するデータ構造（ｄａｔａ  ｓｔｒｕｃｔｕｒｅ：データの集まりをコンピュータの中で効果的に扱うために一定の形式に系統立てて格納するときの形式のこと。）の一種である。
【０００４】
前述の金融機関における出納機及び窓口用入出金機に関する技術が記載された文献としては、下記特許文献１が挙げられ、この特許文献１には、カウンターの内外側に配置した内側リジェクト口と、カウンターの外側に配置した外側リジェクト口と、この内側及び外側のリジェクト口を貨幣の排出を切り替える切替手段とを設けることによって、設置された状態でカウンターの内側と外側の両方から操作を行うことができる貨幣取引処理装置が記載されている。
【先行技術文献】
【特許文献】
【０００５】
【特許文献１】特開２００９−２５９２８１号公報
【発明の概要】
【発明が解決しようとする課題】
【０００６】
金融機関における現金処理システムは、前述のように比較的大口の現金を取り扱う出納機と、窓口担当者が取り扱う窓口用入出金機とが併設されているが、実際の入出金の取引においては、例えば、大口の現金（例えば、９９万円）を顧客から預かって出納機により入金した後に顧客から追加の少額現金（例えば、１万円）を窓口用入出金機から入金する要望があることがあり、この場合、出納機からの入金と窓口用入出金機からの入金を１つの取引として取り扱うことができないように排他制御されているため、出納機から入金した９９万円の入金処理を取り消した後に改めて１００万円の入金処理を行うか、２件の入金処理として取り扱う必要があるという課題があった。出金処理においても同様な課題があった。なお、特許文献１には、このような課題についても記載されていない。
【０００７】
本発明の目的は、前述の従来技術による課題を解決することであり、出納機からの入出金と窓口用入出金機からの入出金（係員の手許からの入出金も含む。）を連携して１つの取引として処理することができる出納機と入出金機の連携システム及び連携方法を提供することである。
【課題を解決するための手段】
【０００８】
前記目的を達成するために請求項１記載の発明は、顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による入金処理を併用するとき、前記窓口端末が、取引選択メニュー画面から入金取引が選択されると入金取引画面を表示すると共に、前記窓口用入出金機に対し入金操作可指示を出力して窓口用入出金機を入金操作可能な状態に設定する第１機能と、前記入金取引画面に前記元帳データベースの更新に必要な情報（顧客の口座番号や取引金額など）を入力する第２機能と、窓口端末が出納機と連携するための出納機キーが押下されたことを検出したとき、出納機通番入力画面を表示し、前記出納機の入金処理で認証伝票に印字される出納記録を基に出納機通番入力画面の通番入力領域に取引通番号を入力させ実行キーを押下させる第３機能と、前記第３機能により前記出納機通番入力画面に入力された取引通番号に対応する前記管理データベース（入金キュー）内の出納機明細データの取得を前記管理サーバに要求する第４機能と、要求を受けた管理サーバが管理データベース（入金キュー）内の該当の出納機明細データを検索して返信し、これを受けた窓口端末が出納機取引金額を前記金種画面の出納機現金預り額入力領域に展開して出納機連携モードを設定後に、当該出納機明細データの更新を管理サーバに要求し、これを受けた管理サーバが当該出納機明細データの処理フラグを処理中に更新する第５機能と、操作者が前記窓口用入出金機を用いて現金を入金したとき、窓口端末が窓口用入出金機からの計数報告を受け付け、窓口用入出金機に入金された現金の金種別金額を金種画面の機預り金種別金額入力領域に展開する第６機能と、入力操作が全て終了したことを示す完了キーが押下されると、金種画面の入力内容により出納機からの入金額と窓口用入出金機からの入金額の合計額が指定金額（当該入金取引の取引金額）と一致することを確認し、前記窓口用入出金機からの入金操作を禁止する指示を窓口用入出金機に出力後、前記管理サーバ経由で前記勘定系ホストコンピュータと通信して当該入金取引の実行を要求する第７機能と、この要求を受けた勘定系ホストコンピュータが前記元帳データベースの該当する口座データを更新し、勘定系ホストコンピュータからの回答を受けた前記管理サーバが前記管理データベース（入金キュー）内の当該出納機明細データの処理フラグを処理済に更新する第８機能と、前記管理サーバ経由前記勘定系ホストコンピュータからの回答を受けた窓口端末が金種画面の入力内容に従って窓口用入出金機に対し収納指示出力と当該取引で取り扱った現金の金種別集計更新と入金伝票に認証印字する第９機能とを備えることを特徴とする。
【０００９】
請求項２記載の発明は、前記出納機と入出金機の連携システムの入金処理において、金種キー押下により金種画面を呼び出し、係員の手許に入金する金額を手預り金種別金額入力領域及び前記窓口用入出金機から出金する釣銭を機払い金種別金額入力領域及び係員の手許より出金する釣銭を手払い金種別金額入力領域に入力する第１０機能と、前記第１０機能により係員の手許に入金する金額や釣銭が入力されるため、第７機能の指定金額（当該入金取引の取引金額）との一致確認を出納機からの入金額と窓口用入出金機からの入金額と係員の手許からの入金額の合計額から窓口用入出金機からの釣銭出金額及び係員の手許からの釣銭出金額を差引いた金額で行う第１１機能と、前記第９機能において前記第１０機能により機払い金種別金額入力領域に釣銭が入力されると窓口用入出金機に対し釣銭の出金指示出力も行う第１２機能と、前記第９機能において前記第１０機能により手払い金種別金額入力領域に釣銭が入力されると手許から釣銭の出金を促す手払い確認画面の表示も行う第１２機能を含むことを特徴とする。
【００１０】
請求項３記載の発明は、顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による出金処理を併用するとき、前記窓口端末が、取引選択メニュー画面から出金取引が選択されると出金取引画面を表示する第１機能と、前記出金取引画面に前記元帳データベースの更新に必要な情報（顧客の口座番号や取引金額など）を入力する第２機能と、窓口端末が出納機と連携するための出納機キーが押下されたことを検出すると出納機連携モードを設定する第３機能と、出金方法を指定するために金種画面キー押下により金種画面を呼び出し、前記出納機から出金する金額を出納機現金払い額入力領域及び前記窓口用入出金機から出金する金額を機払い金種別金額入力領域及び係員の手許から出金する金額を手払い金種別金額入力領域に入力する第４機能と、入力操作が全て終了したことを示す完了キーが押下されると、金種画面の入力内容により出納機からの出金額と窓口用入出金機からの出金額と係員の手許からの出金額の合計額が指定金額（当該出金取引の取引金額）であることを確認し、前記管理サーバ経由で前記勘定系ホストコンピュータと通信して当該出金取引の実行を要求する第５機能と、この要求を受けた勘定系ホストコンピュータが前記元帳データベースの該当する口座データを更新し、勘定系ホストコンピュータからの回答を受けた前記管理サーバが前記管理データベース（出金キュー）に当該出金取引の出納機明細データを登録する第６機能と、前記管理サーバ経由前記勘定系ホストコンピュータからの回答を受けた窓口端末が金種画面の入力内容に従って窓口用入出金機に対し出金指示出力と当該取引で取り扱った現金の金種別集計更新と手許からの出金を促す手払い確認画面の表示と出金伝票に認証印字する第７機能とを備えることを特徴とする。
【００１１】
請求項４記載の発明は、顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による入金処理を併用するとき、前記窓口端末が、取引選択メニュー画面から入金取引が選択されると入金取引画面を表示すると共に、前記窓口用入出金機に対し入金操作可指示を出力して窓口用入出金機を入金操作可能な状態に設定する第１工程と、前記入金取引画面に前記元帳データベースの更新に必要な情報（顧客の口座番号や取引金額など）を入力する第２工程と、窓口端末が出納機と連携するための出納機キーが押下されたことを検出したとき、出納機通番入力画面を表示し、前記出納機の入金処理で認証伝票に印字される出納記録を基に出納機通番入力画面の通番入力領域に取引通番号を入力させ実行キーを押下させる第３工程と、前記第３工程により前記出納機通番入力画面に入力された取引通番号に対応する前記管理データベース（入金キュー）内の出納機明細データの取得を前記管理サーバに要求する第４工程と、要求を受けた管理サーバが管理データベース（入金キュー）内の該当の出納機明細データを検索して返信し、これを受けた窓口端末が出納機取引金額を前記金種画面の出納機現金預り額入力領域に展開して出納機連携モードを設定後、当該出納機明細データの更新を管理サーバに要求し、これを受けた管理サーバが当該出納機明細データの処理フラグを処理中に更新する第５工程と、操作者が前記窓口用入出金機を用いて現金を入金したとき、窓口端末が窓口用入出金機からの計数報告を受け付け、窓口用入出金機に入金された現金の金種別金額を金種画面の機預り金種別金額入力領域に展開する第６工程と、入力操作が全て終了したことを示す完了キーが押下されると、金種画面の入力内容により出納機からの入金額と窓口用入出金機からの入金額の合計額が指定金額（当該入金取引の取引金額）と一致することを確認し、前記窓口用入出金機からの入金操作を禁止する指示を窓口用入出金機に出力後、前記管理サーバ経由で前記勘定系ホストコンピュータと通信して当該入金取引の実行を要求する第７工程と、この要求を受けた勘定系ホストコンピュータが前記元帳データベースの該当する口座データを更新し、勘定系ホストコンピュータからの回答を受けた前記管理サーバが前記管理データベース（入金キュー）内の当該出納機明細データの処理フラグを処理済に更新する第８工程と、前記管理サーバ経由前記勘定系ホストコンピュータからの回答を受けた窓口端末が金種画面の入力内容に従って窓口用入出金機に対し収納指示出力と当該取引で取り扱った現金の金種別集計更新と入金伝票に認証印字する第９工程とを実行させることを特徴とする。
【００１２】
請求項５記載の発明は、前記出納機と入出金機の連携システムの入金処理において、金種キー押下により金種画面を呼び出し、係員の手許に入金する金額を手預り金種別金額入力領域及び前記窓口用入出金機から出金する釣銭を機払い金種別金額入力領域及び係員の手許より出金する釣銭を手払い金種別金額入力領域に入力する第１０工程と、前記第１０工程により係員の手許に入金する金額や釣銭が入力されるため、第７工程の指定金額（当該入金取引の取引金額）との一致確認を出納機からの入金額と窓口用入出金機からの入金額と係員の手許からの入金額の合計額から窓口用入出金機からの釣銭出金額及び係員の手許からの釣銭出金額を差引いた金額で行う第１１工程と、前記第９工程において前記第１０工程により機払い金種別金額入力領域に釣銭が入力されると窓口用入出金機に対して釣銭の出金指示出力も行う第１２工程と、前記第９工程において前記第１０工程により手払い金種別金額入力領域に釣銭が入力されると手許から釣銭の出金を促す手払い確認画面の表示も行う第１２工程の実行を含むことを特徴とする。
【００１３】
請求項６記載の発明は、顧客の口座データを格納する元帳データベースと、現金の入出金処理を行い、前記入出金を行った出納記録を認証伝票に印字する出納機と、前記認証伝票に印字された出納記録及び顧客が記載した入出金伝票を基に元帳データベースの口座データを更新する複数の窓口端末と、前記窓口端末と隣接して配置され、現金の入出金処理を行う窓口用入出金機と、前記出納機が入金処理した取引金額などの入金明細データを入力あるいは前記窓口端末が出納機連携にて出金処理した取引金額などの出金明細データを入力とし、前記出納機及び前記窓口端末における現金の入出金処理に対して付与した取引通番号及び取引金額を含む入出金キューを生成する管理サーバと、この管理サーバが生成した入出金キューを格納する管理データベースとを備え、取引毎の現金の取扱いを管理する金種画面が、前記出納機により入金される金額を入力する出納機現金預り額入力領域と前記窓口用入出金機により入金される金額を入力する機預り金種別金額入力領域と係員の手許に入金される金額を入力する手預り金種別金額入力領域と前記出納機から出金する金額を入力する出納機現金払い額入力領域と前記窓口用入出金機から出金する金額を入力する機払い金種別金額入力領域と係員の手許から出金する金額を入力する手払い金種別金額入力領域と入金取引画面あるいは出金取引画面に入力される取引金額を入力する指定金額入力領域を有する出納機と入出金機との連携システムであって、前記出納機と前記窓口用入出金機及び係員の手許による出金処理を併用するとき、前記窓口端末が、取引選択メニュー画面から出金取引が選択されると出金取引画面を表示する第１工程と、前記出金取引画面に前記元帳データベースの更新に必要な情報（顧客の口座番号や取引金額など）を入力する第２工程と、窓口端末が出納機と連携するための出納機キーが押下されたことを検出すると出納機連携モードを設定する第３工程と、出金方法を指定するために金種画面キー押下により金種画面を呼び出し、前記出納機から出金する金額を出納機現金払い額入力領域及び前記窓口用入出金機から出金する金額を機払い金種別金額入力領域及び係員の手許から出金する金額を手払い金種別金額入力領域に入力する第４工程と、入力操作が全て終了したことを示す完了キーが押下されると、金種画面の入力内容により出納機からの出金額と窓口用入出金機からの出金額と係員の手許からの出金額の合計額が指定金額（当該出金取引の取引金額）であることを確認し、前記管理サーバ経由で前記勘定系ホストコンピュータと通信して当該出金取引の実行を要求する第５工程と、この要求を受けた勘定系ホストコンピュータが前記元帳データベースの該当する口座データを更新し、勘定系ホストコンピュータからの回答を受けた前記管理サーバが前記管理データベース（出金キュー）に当該出金取引の出納機明細データを登録する第６工程と、前記管理サーバ経由前記勘定系ホストコンピュータからの回答を受けた窓口端末が金種画面の入力内容に従って窓口用入出金機に対し出金指示出力と当該取引で取り扱った現金の金種別集計更新と手許からの出金を促す手払い確認画面の表示と出金伝票に認証印字する第７工程とを実行させることを特徴とする。
【発明の効果】
【００１４】
請求項目１及び２並びに４及び５記載の発明による出納機と窓口用入出金機の連携システム及び連携方法は、出納機連携モード中においても窓口用入出金機による入金操作可能な状態に設定することによって、出納機からの入金と窓口用入出金機からの入金を１つの取引として登録することができる。又、出納機連携モード中においても様々な現金の入金方法を金種画面にて指定できるようにする（手扱い金種別金額及び機払い金種別金額及び手払い金種別金額の入力を可能とする）ことによって、出納機からの入金と係員の手許への入金や出納機からの入金と釣銭の払い出しを窓口用入出金機から行うような様々な現金入金処理運用に対応することができる。
【００１５】
請求項目３並びに６記載の発明による出納機と窓口用入出金機の連携システム及び連携方法は、金種画面にて出納機からの出金金額、窓口用入出金機からの出金金額、手許からの出金金額を指定することによって、出納機からの出金と窓口用入出金機からの出金や出納機からの出金と係員の手許からの出金などを１つの取引として登録することができる。
【図面の簡単な説明】
【００１６】
【図１】本発明の一実施形態による出納機と入出金機の連携システムを示す図
【図２】本発明の実施形態による管理データベースを示す図
【図３】本発明の実施形態による出納機と連携して入金又は出金取消処理するとき時の金種画面を示す図
【図４】本発明の実施形態による出納機と連携しないで入金又は出金取消処理する時の金種画面を示す図
【図５】本発明の実施形態による出納機と連携して出金又は入金取消処理する時の金種画面を示す図
【図６】本発明の実施形態による出納機と連携しないで出金又は入金取消処理する時の金種画面を示す図
【図７Ａ】本発明の実施形態による入金取引フローを示す図
【図７Ｂ】本発明の実施形態による入金取引フローを示す図
【図８】本発明の実施形態による出金取引フローを示す図
【発明を実施するための形態】
【００１７】
以下、本発明による連携方法を採用した出納機と入出金機の連携システムを図面を参照して説明する。
［構成］
図１は、本発明の一実施形態による出納機と入出金機の連携システムを適用した現金処理システムの全体構成を説明するための図である。この現金処理システムは、複数の顧客の口座データを格納する元帳データベース７０と、この元帳データベース７０に接続され、口座データの管理を行う勘定系ホストコンピュータ８０と、管理データベース５０に接続され、各種キューの管理を行う管理サーバ４０と、この管理サーバ４０に接続され、現金の出納及び出納記録を認証伝票２１に印字する出納機２０と、この出納機２０による入出金管理を行うための複数のキューを格納する管理データベース５０と、前記管理サーバ４０と接続され、前記認証伝票２１に印字された出納記録及び顧客が記載した入出金伝票を基に元帳データベース７０における顧客口座及び入出金額を特定し、入出金処理を確定させるための複数の窓口端末１０ａ及び窓口端末１０ｂと、これら窓口端末１０ａ及び１０ｂに接続され、窓口の担当者が比較的少額の現金の入出金を行うための窓口用入出金機９０と、これら窓口端末１０ａ及び１０ｂ並びに出納機２０を管理サーバ４０に接続する構内通信網（ＬＡＮ：Ｌｏｃａｌ  Ａｒｅａ  Ｎｅｔｗｏｒｋ）３０と、前記管理サーバ４０を勘定系ホストコンピュータ８０に接続する広域通信網（ＷＡＮ：Ｗｉｄｅ  Ａｒｅａ  Ｎｅｔｗｏｒｋ）６０とを備える。
【００１８】
前記管理データベース５０は、窓口端末１０ａ及び１０ｂの操作画面である金種取引画面から入力された顧客口座番号及び入金額又は出金額を基に元帳データベース７０に格納された顧客の口座データに対する入出金処理を行う際に使用されるデータ構造である各種キューを格納するものであって、本実施形態においては、現金の入金処理時に生成される入金キューを格納する入金キュー格納部５１と、現金の出金時に生成される出金キューを格納する出金キュー格納部５２と、他の金融機関又は同一金融機関の他支店との入出金処理時などに生成される回金キューを格納する回金キュー格納部５３とを備え、各キュー格納部５１から５３は、図２に示す如く、出納機を識別するための出納機番号と、出納の年月日と、出納処理取引の一意の通し番号である取引通番号と、入出金処理１単位毎の出納取引の金額を示す取引金額と、この取引金額中の内訳額を示す現金金額と、この１単位取引の処理状態を識別するための処理フラグの各欄とから構成される。
【００１９】
この入金キュー格納部５１に格納されるキューの１レコードは、例えば、出納機番号「Ａ００１」の出納機の日付「２０１０／１／２０」の入金出納取引の取引通番号が「００１」、取引金額が「￥１，４９０，０００」、現金金額が「￥１，４９０，０００」、処理フラグが「未処理」であることを表している。また、前記「処理フラグ」は、窓口端末１０ａ又は１０ｂによる処理状態の推移及び出納機２０による処理状態の推移をフラグとして管理するものであって、「未処理」と「処理中」と「処理済」と「取消中」と「取消済」と「取消処理中」の６種であり、この処理フラグの値が「処理中」と「取消処理中」のキューはアクセス中以外の他の窓口端末及び出納機からのアクセスを拒否するように排他制御されるものである。
【００２０】
前記窓口端末１０ａ及び１０ｂの表示部に表示される金種画面は、入出金処理を行うための複数の紙幣硬貨種及び項目ごとの金額欄からなり、例えば、図３に示す如く、画面左側から、係員が顧客から受取った現金を手許に入金する金銭を金種毎に入力する手預かりの入力領域Ｅ０８と、窓口用入出金機９０に入金（窓口用入出金機９０で計数）した金銭を金種毎に入力する機預かりの入力領域Ｅ０１と、係員が顧客に渡す現金を手許より支払う金銭を金種毎に入力する手払いの入力領域Ｅ１３と、窓口用入出金機９０により支払う金銭を金種毎に入力する機払いの入力領域Ｅ０２とが上段に配置され、これら領域の下段には、左から、手預かり金の小計額を表示する表示領域Ｅ１０と、機預かり金の小計額を表示する表示領域Ｅ０９と、出納機２０から入金された金額を入力する入力領域Ｅ０３と、現金入金の合計額を表示する表示領域Ｅ０７と、手払い金の小計額を表示する表示領域Ｅ１１と、機払い金の小計額を表示する表示領域Ｅ１２と、出納機２０から支払う金額を入力する入力領域Ｅ０４と、現金出金の合計額を表示する表示領域Ｅ０５と、取引画面に入力された取引金額を表示入力する指定金額の表示領域Ｅ０６とが配置され、図４〜図６を参照して後述する如く、窓口用入出金機９０と連携するときとしないときによって入力訂正操作が可能な領域が設定されるように構成されている。前記機預かりの入力領域Ｅ０１は、窓口用入出金機９０により預かった金銭の金種を表示するものであって、係員が手入力することはない領域であり、領域Ｅ０２及び領域Ｅ１３は、釣り銭がある場合に係員が金額を入力する領域である。なお、金種とは一般に、額面金額による貨幣の種類をいい、金種画面とは、窓口端末の操作画面において、入金又は出金の取扱額（額面金額）を貨幣の種類別に入力及び集計するために表示される操作画面をいう。
【００２１】
前記勘定系ホストコンピュータ８０及び管理サーバ４０は、一般のコンピュータ同様に、ＣＰＵ（Ｃｅｎｔｒａｌ  Ｐｒｏｃｅｓｓｉｎｇ  Ｕｎｉｔ）、メモリ、磁気ディスク装置等の記憶手段、表示部、キーボード等の入出金機器、各種インターフェース機器、基本ＯＳ（オペレーティングシステム）及び各種ソフトウェアを含むものであり、前記元帳データベース７０及び管理データベース５０は、多数の磁気ディスク装置からなるレイド（ＲＡＩＤ：Ｒｅｄｕｎｄａｎｔ  Ａｒｒａｙ  ｆｏｒ  Ｉｎｅｘｐｅｎｓｉｖｅ  Ｄｉｓｋｓ）記憶装置である。
【００２２】
前記窓口端末１０ａ及び１０ｂは、各種データ及び操作キーを含む操作画面を表示する表示部と、オペレータの操作によって各種データを入力するキーボードと、各種データを通帳、帳票及び伝票に印字する印字部と、全体の処理を司る制御部と、制御部が実行するプログラム等を格納する記憶部とを備え、表示部に前述の図３から図６に示した金種画面を表示する。
【００２３】
［動作］
次に前述のように構成した出納機と入出金機の連携システムの入金時及び出金時の動作を窓口端末１０ａの操作を例として説明する。
［入金時処理］
本実施形態による出納機と入出金機の連携システムは、９９万円の現金を係員が顧客から預かって出納機２０により入金し、管理サーバ４０が管理データベース５０に金額「￥９９０，０００」の通番０００１の入金キューを作成した後に顧客から追加の１万円を窓口用入出金機９０から入金する入金処理を例にとって説明する。
【００２４】
さて、本出納機と入出金機の連携システムにおける入金処理は、図７Ａに示す如く、窓口端末１０aの取引選択のメニュー画面から入金取引を操作者が選択する工程０１と、この選択を指示された窓口端末１０ａの制御部が、口座番号入力欄（領域）及び取引金額入力欄（領域）を有する入金取引画面を表示すると共に前記窓口用入出金機９０に対して入金操作を許可する指示を出力する工程０２と、前記表示した入金取引画面に操作者が口座番号「１２３４５６７」及び取引金額「￥１,０００,０００」の入力を行う工程０３と、この画面が表示された状態で操作者が出納機２０と連携するための「出納機」キーを押下し、出納機通番入力画面を呼び出し後、通番入力欄に通番（認証伝票２１に印字された取引通番号）「０００１」が入力され且つ「実行」キーが押下されたことを検出すると管理データベース５０（入金キュー格納部５１）内に存在する「未処理」の通番（取引通番号）「０００１」に対応する出納機明細データの取得要求する工程０４と、この工程０４により要求を受けた管理サーバ４０が入金キュー内の出納機明細データ（通番「０００１」、「未処理」、取引金額「￥９９０，０００」）を回答し、これを受けた窓口端末１０ａが出納機取引金額を図３に示す如く金種画面の出納機現金預り額入力欄（領域Ｅ０３）に展開して出納機連携モードを設定後、出納機明細データ（処理中）の更新要求を行い、これを受けた管理サーバ４０が当該出納機明細データの処理フラグを「処理中」に更新する工程０５とを実行する。
なお、前記工程０３において入金取引画面の取引金額入力欄（領域）に取引金額「￥１，０００，０００」が入力されると、この取引金額を図３に示す如く金種画面の指定金額入力欄（領域Ｅ０６）にもこの金額を展開する。
【００２５】
次いで、本実施形態による出納機と入出金機の連携システムにおける入金処理は、図７Ｂに示す如く、操作者が窓口用入出金機９０を用いて現金１万円を入金したとき、窓口用端末１０ａが前記窓口用入出金機９０からの計数報告を受け付け、窓口用入出金機９０に入金された現金１万円を図３に示す如く金種画面の機預り入力欄（領域Ｅ０１）に展開する工程０６と、入力操作が全て終了したことを示す「完了」キーが押下されると、金種画面により窓口用入出金機９０からの入金額「￥１０，０００」と出納機２０に入金済み入金額「￥９９０，０００」の合計額が指定金額「￥１，０００，０００」と一致する（指定金額（領域Ｅ０６）＝現金入金計（領域Ｅ０７）−現金出金計（領域Ｅ０５）である。）ことを確認し、窓口用入出金機９０の入金操作を禁止する指示を窓口用入出金機９０に出力後、管理サーバ４０経由で勘定ホストコンピュータ８０と通信して当該入金取引の実行を要求（問い合せ電文を送信。）する工程０７と、この要求を受けた勘定系ホストコンピュータ８０が元帳データベース７０のデータを更新し、この勘定系ホストコンピュータ８０の回答を受けた管理サーバ４０が管理データベース５０の当該入金キューを「処理済」に更新する工程０８と、管理サーバ４０経由勘定系ホストコンピュータ８０の回答を受けた窓口端末１０ａが窓口用入出金機９０に対する現金の収納指示出力、当該取引で取り扱った現金の金種別集計更新、入金伝票への認証印字する工程０９とを実行し、窓口端末１０ａは、出納機２０と連携して入金処理する取引であっても窓口用入出金機９０を入金操作可能な状態に設定することによって出納機２０からの入金と窓口用入出金機９０からの入金を１取引として連携処理することができる。又、様々な現金の入金方法を金種画面にて指定できるようにする（手預り入力欄（領域Ｅ０８）及び手払い入力欄（領域Ｅ１３）及び機払い入力欄（領域Ｅ１３）のデータ入力を可能とする。）ことにより出納機２０からの入金と係員の手許への入金、更には窓口用入出金９０あるいは手許から釣銭の払い出し処理することができる。
【００２６】
［出金処理］
本実施形態による出納機と入出金機の連携システムにおける出金処理は、１１０万円の現金の出金を窓口用入出金機９０から１０万円を出金し、管理データベース５０に金額「￥１，０００，０００」の通番「０００１」の出金キューを作成し、残りの１００万円を出納機２０から出金する出金処理を例にとって説明する。
【００２７】
さて、本出納機と入出金機の連携システムにおける出金処理は、図８に示す如く、窓口端末１０aの取引選択のメニュー画面から出金取引を操作者が選択する工程０１と、この選択を指示された窓口端末１０ａの制御部が、口座番号入力欄（領域）及び取引金額入力欄（領域）を有する出金取引画面を表示する工程０２と、前記表示した出金取引画面に操作者が口座番号「１２３４５６７」及び取引金額「￥１，１００，０００」（１１０万）の入力を行う工程０３と、出納機と連携するための「出納機」キー押下して出納機連携モードの設定を行う工程０４と、１１０万円の出金方法を指定するために「金種画面」キーを押下して金種画面を呼び出し、図５に示す如く金種画面の機払い入力欄（領域Ｅ０２）に「￥１００，０００」（１０万）、出納機現金払い額入力欄（領域Ｅ０４）に「￥１，０００，０００」（１００万）の入力を行う工程０５と、入力操作が全て終了したことを示す「完了」キーが押下されると、金種画面により窓口用入出金機９０からの出金額「￥１０，０００」と出納機２０からの出金額「￥１，０００，０００」の合計額が指定金額「￥１，１００，０００」と一致する（指定金額（領域Ｅ０６）＝現金出金計（領域Ｅ０５）である。）ことを確認し、管理サーバ４０経由で勘定ホストコンピュータ８０と通信して当該出金取引の実行を要求（問い合せ電文を送信）する工程０６と、この要求を受けた勘定系ホストコンピュータ８０が元帳データベース７０のデータを更新し、この勘定系ホストコンピュータ８０の回答を受けた管理サーバ４０が管理データベース５０に出納機２０から１００万円を出金するための出金キュー（通番「０００１」、「未処理」、取引金額「￥１，０００，０００」）を登録する工程０７と、管理サーバ４０経由勘定系ホストコンピュータ８０の回答を受けた窓口端末１０ａが窓口用入出金機９０に対する現金の支払い指示出力、当該取引で取り扱った現金の金種別集計更新、出金伝票への認証印字する工程０８とを実行し、窓口端末１０ａは、出納機２０と連携して出金処理する取引であっても金種画面にて出金方法を指定することによって出納機２０からの出金と窓口用入出金機９０からの出金を１取引として連携処理することができる。また金種画面への入力可能領域を拡大（手払い入力欄（領域Ｅ１３）のデータ入力を可能）することにより出納機２０からの出金に加え係員の手許からの出金も処理することができる。なお、前記工程０８における窓口用入出金機９０に対する支払い指示は、勘定系ホストコンピュータ８０から指示されれ支払い指示金額から出納機２０で出金する金額を減算した金額、すなわち金種画面の機払い入力欄（領域Ｅ０２）に入力された金種別金額で行う。
【符号の説明】
【００２８】
１０ａ  窓口端末、１０ｂ  窓口端末、２０  出納機、２１  認証伝票、４０  管理サーバ、５０  管理データベース、５１  入金キュー格納部、５２  出金キュー格納部、５３  回金キュー格納部、７０  元帳データベース、８０  勘定系ホストコンピュータ、９０  窓口端末用入出金機
【図１】
0005461263.tif 000002
【図２】
0005461263.tif 000003
【図３】
0005461263.tif 000004
【図４】
0005461263.tif 000005
【図５】
0005461263.tif 000006
【図６】
0005461263.tif 000007
【図７Ａ】
0005461263.tif 000008
【図７Ｂ】
0005461263.tif 000009
【図８】
0005461263.tif 000010